(57)【要約】【課題】  集塵機のホースが取付けられるホース取付口と、工具本体から延出する電源コードとを有し、その電源コードが邪魔にならないように取回しし得るホルダーを備えている電動工具を提供する。【解決手段】  集塵機のホース８１が取付けられるホース取付口３と、工具本体２から延出する電源コード５とを有している電動工具１であって、電源コード５の取回しを決定するために電源コード５の一部を保持するホルダー７が、ホース取付口３の近傍に設けられている。【選択図】        図２
2005153058.tif 000002
【特許請求の範囲】
【請求項１】
集塵機のホースが取付けられるホース取付口と、工具本体から延出する電源コードとを有している電動工具であって、
前記電源コードの取回しを決定するために前記電源コードの一部を保持するホルダーが、前記ホース取付口の近傍に設けられていることを特徴とする電動工具。
【請求項２】
請求項１に記載の電動工具であって、
電源コードの延出基部とホース取付口との間における工具本体の一部には、作業者によって把持されるグリップを具備する把持部が設けられており、
前記把持部の基端部の近傍にも、前記電源コードの一部を保持するホルダーが設けられていることを特徴とする電動工具。
【請求項３】
請求項２に記載の電動工具であって、
ホース取付口の近傍に設けられているホルダーと、把持部の基端部の近傍に設けられているホルダーとが、どちらも電源コードを脱着可能に保持する構成になっていることを特徴とする電動工具。
【発明の詳細な説明】
【技術分野】
【０００１】
本発明は、集塵機のホースが取付けられるホース取付口と、工具本体から延出する電源コードとを有している電動工具に関する。
【背景技術】
【０００２】
電動工具は、従来種々のタイプのものが知られていた。例えば特許文献１，２に係る電動工具は、工具本体から延出する電源コードと、その電源コードに接続される延長コードの一部を保持することで延長コードの取回しを決定するホルダーとを有していた。
また特許文献３に記載の電動工具も従来知られていた。特許文献３に係る電動工具は、集塵機のホースが取付けられるホース取付口を有する防塵マルノコであった。そして工具本体から延出する電源コードも有していた。そのため防塵マルノコの本体からは、ホースと電源コードとが別々に延出しており、作業時にこれらが邪魔になっていた。
【特許文献１】特開２００２−１７２５６８号公報
【特許文献２】特開２００３−２５１５７４号公報
【特許文献３】特開２００２−９６２１８号公報
【発明の開示】
【発明が解決しようとする課題】
【０００３】
そこで本発明は、集塵機のホースが取付けられるホース取付口と、工具本体から延出する電源コードとを有し、その電源コードが邪魔にならないように取回しし得るホルダーを備えている電動工具を提供することを課題とする。
【課題を解決するための手段】
【０００４】
前記課題を解決するために本発明は、各請求項に記載の通りの構成を備える電動工具であることを特徴とする。
請求項１に記載の発明によると、電源コードの取回しを決定するために電源コードの一部を保持するホルダーが、ホース取付口の近傍に設けられている。
すなわち電源コードは、ホース取付口の近傍に取回され、その状態がホルダーによって保持される。そのため電源コードは、ホース取付口側から延出する。そしてホース取付口にホースが取付けられ、ホースもホース取付口側から延出する。
したがって電源コードとホースとがともにホース取付口側から延出する。あるいは電源コードに接続される延長コードとホースとがともにホース取付口側から延出する。このため電源コードがホースと別に工具本体から延出することを防止でき、電源コードが邪魔にならない。なおこのような作用効果は、前記した特許文献には見られない特異な作用効果である。
【０００５】
請求項２に記載の発明によると、電源コードの延出基部とホース取付口との間における工具本体の一部には、作業者によって把持されるグリップを具備する把持部が設けられている。そして把持部の基端部の近傍にも、電源コードの一部を保持するホルダーが設けられている。
すなわち電源コードは、工具本体から延出し、把持部の基端部近傍に取回される。そしてその位置にてホルダーによって保持される。そして電源コードは、そのホルダーを介してホース取付口の近傍に取回され、そこにおいても他のホルダーによって保持される（請求項１参照）。
したがって電源コードは、把持部の基端部の近傍において保持されることで、把持部のグリップへの延出が防止される。また電源コードは、ホース取付口の近傍においても保持される。そのため電源コードは、グリップへの延出が好適に防止される。かくして電源コードは、グリップを把持する際の邪魔になりにくい状態で保持される。
【０００６】
請求項３に記載の発明によると、ホース取付口の近傍に設けられているホルダーと、把持部の基端部の近傍に設けられているホルダーとが、どちらも電源コードを脱着可能に保持する構成になっている。
したがってホルダーに対して電源コードを脱着させることで、電源コードの取回し状態を変えることができる。例えば、ホース取付口の近傍のホルダーに電源コードを保持させることで、電源コードをホースと同様にホース取付口側から延出させる取回し状態にすることができる。そして把持部の基端部近傍のホルダーに電源コードを保持させることで、電源コードの把持部のグリップへの延出を防止した取回し状態にすることができる。そして電源コードを両ホルダーから外すことで、電源コードとホースとを別個に工具本体から延出させる取回し状態にすることができる。そのため電源コードの取回し状態を使分けることができる。そして取回し状態を使分けることで電動工具の使用勝手が向上する。
【発明を実施するための最良の形態】
【０００７】
本発明の実施の形態を図１〜３にしたがって説明する。
本形態に係る電動工具は、図１に示すように防塵マルノコ１である。
防塵マルノコ１は、通常、ホース８１を介して集塵機８と連結された状態で使用される。そして集塵機８によって被加工物の加工屑（切屑）を吸引しながら、防塵マルノコ１によって被加工物を加工することができる。
防塵マルノコ１は、図２に示すように矩形状のベース１０と、ベース１０に載置される工具本体２と、ホース取付口３と把持部４とを有している。
【０００８】
工具本体２は、殻体を成すハウジングと、ハウジング内に設けられたモータと、モータによって回転する回転装着部とを有している。そして回転装着部に円盤状の鋸刃２１が装着される。
また工具本体２の側面には、ブレードカバー２２が取付けられている。
ブレードカバー２２は、鋸刃２１の上側約半分を覆う構成であり、被加工物の加工屑（切屑）の飛散を防止する。そしてブレードカバー２２の前方（図１左方）寄りの上方位置には、ダクト２３が設けられている。そしてダクト２３は、工具本体２に対しての先端寄り位置に設けられている。
ダクト２３は、ベース１０に対して略垂直方向に延出している。そして先端部にホース取付口３が装着されている。
【０００９】
ホース取付口３は、図２に示すようにダクト２３と同方向に延出する直管部３０と、直管部３０から屈曲して直管部３０に対して所定の角度（例えば６０°〜９０°）に延出する延出管部３１とを一体に有している。
直管部３０は、ダクト２３の先端部に差込まれ、ダクト２３に対して回動可能に取付けられている。したがって直管部３０をダクト２３に対して回動させることで、延出管部３１の工具本体２に対する延出向きが変わる。
また延出管部３１の先端部には、取付口３２が形成されている。そして取付口３２には、ホース８１のノズル８２が押込まれ、ノズル８２が取付口３２に取付けられる。これによりホース８１とダクト２３が配管接続される。
【００１０】
把持部４は、図２に示すように基端部４１とグリップ４０と前端部４２を有している。
基端部４１は、工具本体２の後端部（図２右端部）から前上方に延出している。
グリップ４０は、基端部４１から連続して前方に延出した構成になっている。そしてグリップ４０と工具本体２の間には、差込開口部４４が形成されている。そのためグリップ４０は、作業者によって把持される構成になっている。
そして防塵マルノコ１は、把持部４を有する携帯可能な構成になっている。
【００１１】
グリップ４０の下側面には、トリガ４３が設けられている。トリガ４３は、モータへの電源供給を入り切りするスイッチと連動している。したがってトリガ４３を操作することで鋸刃２１の回転を操作することができる。
前端部４２は、グリップ４０の先端部から工具本体２に向けて延出し、グリップ４０と工具本体２とを連結している。したがってグリップ４０は、工具本体２の前後方向に延出し、前後両端が工具本体２に取付けられている。
また前端部４２は、図３に示すように工具本体２の前寄り位置であって、ダクト２３よりも後側位置における工具本体２の一部から延出する構成になっている。
【００１２】
また防塵マルノコ１は、図２に示すように電源コード５と複数のホルダー６，７を有している。
電源コード５は、工具本体２の後端寄り位置（例えば後端部）から後方（図右側）に延出している。そして先端部にコネクタ５０を有している。
ホルダー６，７は、電源コード５の取回しを決定するために電源コード５の一部を保持する構成になっている。そしてホルダー６，７は、どちらも電源コード５を脱着可能に保持する構成になっている。例えばホルダー６，７自身が弾性変形することで電源コード５を脱着可能に保持する。あるいは電源コード５を弾性変形させることで電源コード５を脱着可能に保持する構成になっている。
【００１３】
ホルダー６は、把持部４の基端部４１の近傍に設けられている。具体的には、基端部４１の前側面に対して一体状に設けられている。そしてホルダー６は、基端部４１から差込開口部４４の領域内に張出している。
そしてホルダー６は、図３に示すように電源コード５を工具本体２の幅方向に延出した状態で保持する。
一方、ホルダー７は、ホース取付口３の近傍に設けられている。具体的には、ダクト２３の基端部に一体状に成形されている。そしてホルダー７は、図２に示すように電源コード５を上下方向に延出した状態で保持する。
【００１４】
電源コード５は、ホルダー６，７に保持されることで取回し状態が決定される。すなわち電源コード５は、工具本体２の後端部から後方に延出し、折返して把持部４の一側方（例えば左側、図３下側）に延出する。そして差込開口部４４を通って把持部４の他側方（例えば右側、図３上側）に延出する。そして電源コード５の一部がホルダー６によって把持部４の基端部４１の近傍にて保持される。
【００１５】
さらに電源コード５は、図３に示すように工具本体２の一側縁（例えば右側縁、図３上側縁）に沿って前方（図３左方）に延出する。そして把持部４の前端部４２の前方側において工具本体２を幅方向に横切るように延出する。
そして電源コード５は、ダクト２３およびホース取付口３近傍に延出し、電源コード５の一部がホルダー７によって保持される。そして電源コード５は、図２に示すようにホルダー７によって上方へ延出し、ダクト２３とホース取付口３とに沿って延出する。そして電源コード５の先端に設けられたコネクタ５０がホース取付口３の近傍に配される。
【００１６】
集塵機８は、図１に示すように本体８０とホース８１とを有している。
本体８０は、加工屑を吸引する吸引装置と、吸引した加工屑を収納する収納袋とを内設している。そして本体８０からは、電源コード８３が延出しており、電源コード８３は、先端にプラグ８４を有している。
ホース８１は、一端側が本体８０に取付けられ、他端部にノズル８２を有している。
【００１７】
ホース８１には、延長コード９が沿わされている。そして延長コード９とホース８１は、複数の集束バンド９３によって束ねられ一体になっている。したがって延長コード９とホース８１は、防塵マルノコ１に対して一体になって延出している。
そして延長コード９は、一端部にプラグ９１を有し、他端部にコネクタ９０を有している。したがってプラグ９１が電源ソケット９２に差込まれ、コネクタ９０が電源コード５の電源ソケット９２に接続される。これにより電源コード５と電源ソケット９２が延長コード９を介して電気的に接続される。
【００１８】
以上のようにして防塵マルノコ１が形成される。
すなわち電源コード５は、図２に示すようにホース取付口３の近傍に取回され、その状態がホルダー７によって保持される。そのため電源コード５は、ホース取付口３側から延出する。そしてホース取付口３にホース８１が取付けられ、ホース８１もホース取付口３側から延出する。
したがって電源コード５とホース８１とがともにホース取付口３側から延出する。あるいは電源コード５に接続される延長コード９とホース８１とがともにホース取付口３側から延出する。このため電源コード５がホース８１と別に工具本体２から延出することを防止でき、電源コード５が邪魔にならない。
【００１９】
また把持部４は、図３に示すように電源コード５の延出基部５ａとホース取付口３との間における工具本体２の一部に設けられている。
そして電源コード５は、工具本体２から延出し、把持部４の基端部４１近傍に取回される。そしてその位置にてホルダー６によって保持される。そして電源コード５は、ホルダー６を介してホース取付口３の近傍に取回され、そこにおいても他のホルダー７によって保持される。
したがって電源コード５は、把持部４の基端部４１の近傍において保持されることで、把持部４のグリップ４０への延出が防止される。また電源コード５は、ホース取付口３の近傍においても保持される。そのため電源コード５は、グリップ４０への延出が好適に防止される。かくして電源コード５は、グリップ４０を把持する際に邪魔になりにくい状態で保持される。
【００２０】
またホルダー６，７は、電源コード５を脱着可能に保持する構成になっている。
したがってホルダー６，７に対して電源コード５を脱着させることで、電源コード５の取回し状態を変えることができる。例えば、図２に示すようにホルダー７に電源コード５を保持させることで、電源コード５をホース８１と同様にホース取付口３側から延出させる取回し状態にすることができる。そしてホルダー６に電源コード５を保持させることで、電源コード５の把持部４のグリップ４０への延出を防止した取回し状態にすることができる。そして電源コード５を両ホルダー６，７から外すことで、電源コード５とホース８１とを別個に工具本体２から延出させる取回し状態にすることができる。そのため電源コード５の取回し状態を使分けることができる。そして取回し状態を使分けることで防塵マルノコ１の使用勝手が向上する。
【００２１】
（他の実施の形態）
本発明は、上記実施の形態に限定されず、以下の形態であってもよい。
（１）すなわち上記の実施の形態は、防塵マルノコに係るものであったが、サンダやグラインダあるいはカンナ等のホース取付口を有する電動工具に係るものであってもよい。
（２）上記の実施の形態に係るホルダー７は、図３に示すようにダクト２３に設けられていた。しかしホルダー７がホース取付口３に設けられる形態であってもよい。あるいはホース取付口３の近傍の工具本体２に設けられる形態であってもよい。
【図面の簡単な説明】
【００２２】
【図１】防塵マルノコと集塵機の正面図である。
【図２】防塵マルノコの正面図である。
【図３】防塵マルノコの上面図である。
【符号の説明】
【００２３】
１…防塵マルノコ（電動工具）
２…工具本体
３…ホース取付口
４…把持部
５…電源コード
６，７…ホルダー
８…集塵機
９…延長コード
２１…鋸刃
２２…ブレードカバー
２３…ダクト
４０…グリップ
４１…基端部
８１…ホース
８２…ノズル
９２…電源ソケット
９３…集束バンド
【図１】
2005153058.tif 000003
【図２】
2005153058.tif 000004
【図３】
2005153058.tif 000005